(57)【要約】【課題】  製作コストを下げて、製品の機能を向上させる液晶表示装置を提供する。【解決手段】  光学モジュール２５、制御モジュール１０およびバックライトモジュール２２を含み、光学モジュール２５は成熟した液晶製造工程により少なくとも一つの液晶層２６１と、透過領域２４７および反射領域２４５を含む複数個の画素電極２５６とを具備する。制御モジュール１０を成熟した半導体製造工程により製作し、その所定の位置は複数個の導電プラグ２８によりバックライトモジュールを結合した液晶表示装置。【選択図】  図２
2005196099.tif 000002
【特許請求の範囲】
【請求項１】
少なくとも液晶層と、透過領域および反射領域を有する複数個の画素電極とを含み、図形を表示する光学モジュールと、
複数個の制御回路素子を有する制御モジュールと、
前記制御モジュールと前記光学モジュールとの間に設け、光線が弱い環境下で光源を提供し、表示効果を高めるバックライトモジュールと、
を主な構造とする液晶表示装置であって、
前記バックライトモジュールの所定位置に複数個の導電プラグが設けられ、制御モジュールと画素電極とを接続することを特徴とする液晶表示装置。
【請求項２】
前記バックライトモジュールの構造が、
バックライトの光源を提供する発光素子と、
透明材料により構成され、発光素子が生む光線を伝導し、下表面を処理して拡散表面にし、光線を均等に拡散する導光層と、
を有する液晶表示装置であって、
導電プラグを前記導光層中の所定位置に設けることを特徴とする請求項１記載の液晶表示装置。
【請求項３】
前記バックライトモジュールは、有機エレクトロルミネッセンス素子であり、前記導電プラグを前記有機エレクトロルミネッセンス素子中の所定位置に設けることを特徴とする請求項１記載の液晶表示装置。
【請求項４】
前記導電プラグは、透明導電材料により製作されることを特徴とする請求項１記載の液晶表示装置。
【請求項５】
前記導電プラグは、インジウムスズ酸化物、導電高分子或いはそれらの組合せの中の何れか一つにより製作されることを特徴とする請求項４記載の液晶表示装置。
【請求項６】
前記導電プラグは、絶縁層およびバックライトモジュールの他の素子により分離されることを特徴とする請求項１記載の液晶表示装置。
【請求項７】
前記導電プラグおよび前記絶縁層は、透明材料により製作されることを特徴とする請求項６記載の液晶表示装置。
【請求項８】
前記光学モジュールの構造は、
各画素電極が上表面に形成され、前記画素電極が透過領域および反射領域を含む第１透明基板と、
下表面に透明電極が形成され、液晶層を第１透明基板と第２透明基板との間に形成する前記第２透明基板と、
を有する液晶表示装置であって、
前記第１透明基板は、前記画素電極の位置に少なくとも一つの孔を有し、制御モジュールは前記孔を通して前記画素電極と電性接続することを特徴とする請求項１記載の液晶表示装置。
【請求項９】
前記画素電極の透過領域は、透明導電材料により製作されることを特徴とする請求項８記載の液晶表示装置。
【請求項１０】
前記画素電極の透過領域は、インジウムスズ酸化物により製作されることを特徴とする請求項９記載の液晶表示装置。
【請求項１１】
前記画素電極の反射領域は、金属材料により製作されることを特徴とする請求項８記載の液晶表示装置。
【請求項１２】
前記画素電極の透過領域は、反射領域の周りに設けられることを特徴とする請求項８記載の液晶表示装置。
【請求項１３】
前記画素電極反射領域の下表面は、錐状に突出していることを特徴とする請求項８記載の液晶表示装置。
【請求項１４】
前記画素電極反射領域の上表面は、突面を呈していることを特徴とする請求項８記載の液晶表示装置。
【請求項１５】
画素電極上の透過領域、反射領域およびその組合せ中の一つに光学コーティングを行って、透過領域および反射領域の光路差を調整することを特徴とする請求項８記載の液晶表示装置。
【請求項１６】
前記バックライトモジュールの各導電プラグは、バックライトモジュールの上表面から突出して上ピンを形成し、前記第１透明基板上の対応する前記孔により、対応する前記画素電極へ接続することを特徴とする請求項８記載の液晶表示装置。
【請求項１７】
前記第１透明基板の各孔は導電ピンを有し、前記第１透明基板の下表面から突出し、前記画素電極と対応する導電プラグとを接続することを特徴とする請求項８記載の液晶表示装置。
【請求項１８】
前記液晶層、前記透明電極及び前記画素電極の間にそれぞれ保護層をさらに設けることを特徴とする請求項８記載の液晶表示装置。
【請求項１９】
前記液晶層、前記透明電極及び前記画素電極の間にそれぞれ配向膜をさらに設けることを特徴とする請求項８記載の液晶表示装置。
【請求項２０】
前記第１透明基板および前記第２透明基板は、可撓基板であることを特徴とする請求項８記載の液晶表示装置。
【請求項２１】
前記制御モジュール中の各制御回路素子は、半導体製造工程によりチップ中に整合され、チップの一面においてバックライトモジュールの導電プラグに対応する複数個の導電接点を形成し、各導電プラグを対応する導電接点に接続することを特徴とする請求項１記載の液晶表示装置。
【請求項２２】
前記制御モジュールは、上表面に反射層がさらに形成されることを特徴とする請求項２１記載の液晶表示装置。
【請求項２３】
前記バックライトモジュールの各導電プラグは、バックライトモジュールの下表面から突出して下ピンを形成し、制御モジュール上で対応する導電接点に接続することを特徴とする請求項２１記載の液晶表示装置。
【請求項２４】
前記導電ピンは、制御モジュールの上表面から突出し、バックライトモジュール中の対応する導電プラグに接続することを特徴とする請求項２１記載の液晶表示装置。
【請求項２５】
前記光学モジュールの上方は、レンズセットをさらに有することを特徴とする請求項１記載の液晶表示装置。
【請求項２６】
前記光学モジュールの上表面は、曲面構造を呈することを特徴とする請求項２５記載の液晶表示装置。
【請求項２７】
バックライトモジュールと制御モジュールとを接続し、環境の輝度に応じてバックライトをオンまたはオフ、或いはバックライトの強度を調整する光センサーをさらに有することを特徴とする請求項１記載の液晶表示装置。
【請求項２８】
前記光学モジュール、バックライトモジュールおよび制御モジュールは、個別に製作された後に組合わすことを特徴とする請求項１記載の液晶表示装置。
【請求項２９】
半導体製造工程により製作した少なくとも一つの第２制御モジュールは、一面に複数個の導電接点を有し、制御モジュールはバックライトモジュールに接続される相対する一面が複数個の導電ピンを有し、前記第２制御モジュールの導電ピンに対応させて接続することを特徴とする請求項２１記載の液晶表示装置。
【請求項３０】
少なくとも液晶層と、複数個の透明画素電極とを含み、図形を表示する光学モジュールと、
複数個の制御回路素子を有する制御モジュールと、
前記制御モジュールと前記光学モジュールとの間に設け、表示に必要な光源を提供するバックライトモジュールと、
を主な構造が具備する液晶表示装置であって、
前記バックライトモジュールの所定位置に複数個の導電プラグが設けられ、制御モジュールと透明画素電極とを接続することを特徴とする液晶表示装置。
【請求項３１】
前記バックライトモジュールの構造が、
バックライトの光源を提供する発光素子と、
透明材料により構成され、発光素子が生む光線を伝導し、下表面を拡散表面とし、光線を均等に拡散する導光層と、
を有する液晶表示装置であって、
導電プラグを前記導光層中の所定位置に設けることを特徴とする請求項３０記載の液晶表示装置。
【請求項３２】
前記バックライトモジュールは、有機エレクトロルミネッセンス素子であり、前記導電プラグを有機エレクトロルミネッセンス素子中の所定位置に設けることを特徴とする請求項３０記載の液晶表示装置。
【請求項３３】
前記導電プラグは、透明導電材料により製作されることを特徴とする請求項３０記載の液晶表示装置。
【請求項３４】
前記導電プラグは、インジウムスズ酸化物、導電高分子或いはそれらの組合せの中の何れか一つにより製作されることを特徴とする請求項３３記載の液晶表示装置。
【請求項３５】
前記導電プラグは、絶縁層およびバックライトモジュールの他の素子により分離されることを特徴とする請求項３０記載の液晶表示装置。
【請求項３６】
前記導電プラグおよび前記絶縁層は、透明材料により製作されることを特徴とする請求項３５記載の液晶表示装置。
【請求項３７】
前記光学モジュールの構造は、
上表面に各透明画素電極が形成された第１透明基板と、
下表面に透明電極が形成され、液晶層が第１透明基板と第２透明基板との間に形成される第２透明基板と、
を有する液晶表示装置であって、
前記第１透明基板は、各透明画素電極の位置に少なくとも一つの孔を有し、制御モジュールが前記孔を通して画素電極に電性接続することを特徴とする請求項３０記載の液晶表示装置。
【請求項３８】
前記透明画素電極は、インジウムスズ酸化物により製作されることを特徴とする請求項３７記載の液晶表示装置。
【請求項３９】
前記バックライトモジュールの各導電プラグは、バックライトモジュールの上表面から突出して上ピンを形成し、前記第１透明基板上の対応する前記孔を通して、対応する前記透明画素電極に接続することを特徴とする請求項３７記載の液晶表示装置。
【請求項４０】
前記第１透明基板の各孔に透明導電ピンをさらに設け、前記第１透明基板の下表面から突出させて、前記画素電極と対応する導電プラグとを接続することを特徴とする請求項３７記載の液晶表示装置。
【請求項４１】
前記透明導電プラグは、インジウムスズ酸化物、導電高分子或いはそれらの組合せの中の何れか一つにより製作することを特徴とする請求項４０記載の液晶表示装置。
【請求項４２】
前記液晶層、前記透明電極及び前記画素電極の間にそれぞれ保護層をさらに設けることを特徴とする請求項３７記載の液晶表示装置。
【請求項４３】
前記液晶層、前記透明電極及び前記画素電極の間にそれぞれ配向膜をさらに設けることを特徴とする請求項３７記載の液晶表示装置。
【請求項４４】
前記第１透明基板および前記第２透明基板は、可撓基板であることを特徴とする請求項３７記載の液晶表示装置。
【請求項４５】
前記制御モジュール中の各制御回路素子は、半導体製造工程によりチップ中に整合され、チップの一面においてバックライトモジュールの導電プラグに対応する複数個の導電接点を形成し、各導電プラグと対応する導電接点に接続することを特徴とする請求項３０記載の液晶表示装置。
【請求項４６】
前記制御モジュールは、上表面に反射層がさらに形成されることを特徴とする請求項４５記載の液晶表示装置。
【請求項４７】
前記バックライトモジュールの各導電プラグは、バックライトモジュールの下表面から突出して下ピンを形成し、制御モジュール上で対応する導電接点と接続することを特徴とする請求項４５記載の液晶表示装置。
【請求項４８】
前記導電ピンは、制御モジュールの上表面から突出し、バックライトモジュール中の対応する導電プラグに接続することを特徴とする請求項４５記載の液晶表示装置。
【請求項４９】
前記光学モジュールの上方は、レンズセットをさらに有することを特徴とする請求項３０記載の液晶表示装置。
【請求項５０】
前記光学モジュールの上表面は、曲面構造を呈することを特徴とする請求項４８記載の液晶表示装置。
【請求項５１】
前記光学モジュール、バックライトモジュールおよび制御モジュールは、個別に製作された後に組合わすことを特徴とする請求項５０記載の液晶表示装置。
【請求項５２】
半導体製造工程により製作した少なくとも一つの第２制御モジュールは、一面に複数個の導電接点を有し、制御モジュールはバックライトモジュールに接続される相対する一面が複数個の導電ピンを有し、前記第２制御モジュールの導電ピンに対応させて接続することを特徴とする請求項４５記載の液晶表示装置。
【請求項５３】
上表面に複数個の画素電極が形成された基板と、
下表面に透明電極が形成された透明基板と、
基板と透明基板との間に挟まれた液晶層と、
複数個の制御回路素子を有する制御モジュールと、
を主要構造とする液晶表示装置であって、
前記基板は、前記画素電極の位置に少なくとも一つの孔を有し、制御モジュールは孔を通して画素電極に電性接続されることを特徴とする液晶表示装置。
【請求項５４】
前記液晶層、前記透明電極及び前記画素電極の間にそれぞれ保護層をさらに設けることを特徴とする請求項５３記載の液晶表示装置。
【請求項５５】
前記液晶層、前記透明電極及び前記画素電極の間にそれぞれ配向膜をさらに設けることを特徴とする請求項５３記載の液晶表示装置。
【請求項５６】
前記第１透明基板および前記第２透明基板は、可撓基板であることを特徴とする請求項５３記載の液晶表示装置。
【請求項５７】
前記制御モジュールは、上表面に反射層が形成されることを特徴とする請求項５３記載の液晶表示装置。
【請求項５８】
前記制御モジュールは、上表面に遮光層が形成されることを特徴とする請求項５３記載の液晶表示装置。
【請求項５９】
前記制御モジュール中の各制御回路素子は、半導体製造工程によりチップ中に整合され、当該チップの一面において基板上の各孔に対応する複数個の導電接点が形成され、各導電接点を対応する画素電極に接続することを特徴とする請求項５３記載の液晶表示装置。
【請求項６０】
前記導電ピンは、制御モジュールの上表面から突出し、基板上の対応する孔に通して対応する画素電極に接続することを特徴とする請求項５９記載の液晶表示装置。
【請求項６１】
前記基板の各孔は導電プラグを有し、基板の下表面から突出され、制御モジュール上の対応する導電接点に接続することを特徴とする請求項５９記載の液晶表示装置。
【請求項６２】
前記導電プラグの側面縁は、絶縁層を有することを特徴とする請求項６１記載の液晶表示装置。
【請求項６３】
前記導電プラグは、金属材料により製作されることを特徴とする請求項６１記載の液晶表示装置。
【請求項６４】
前記画素電極は、金属材料により製作されることを特徴とする請求項５３記載の液晶表示装置。
【請求項６５】
前記画素電極の上表面は、突面を呈していることを特徴とする請求項６４記載の液晶表示装置。
【請求項６６】
前記透明基板の上方は、レンズセットをさらに有することを特徴とする請求項５３記載の液晶表示装置。
【請求項６７】
前記光学モジュールの上表面は、曲面構造を呈することを特徴とする請求項６６記載の液晶表示装置。
【請求項６８】
前記制御モジュールは、他の素子と別に製作された後に組合わすことを特徴とする請求項５３記載の液晶表示装置。
【請求項６９】
半導体製造工程により製作した少なくとも一つの第２制御モジュールは、一面に複数個の導電接点を有し、制御モジュールはバックライトモジュールに接続される相対する一面が複数個の導電ピンを有し、前記第２制御モジュールの導電ピンに対応させて接続することを特徴とする請求項５９記載の液晶表示装置。
【発明の詳細な説明】
【技術分野】
【０００１】
本発明は液晶表示装置に関し、特に、製作コストを下げて、製品の機能を向上させることができる液晶表示装置に関し、具体的にはバックライトモジュール上の所定位置に設けられた複数個の導電プラグが、熟成した液晶工程技術により製作された光学モジュールと、成熟した半導体製造工程により製作された制御モジュールとを接続することにより、製品の収率を向上して生産コストを下げる液晶表示装置に関する。
【背景技術】
【０００２】
近年、情報産業の高度な発展と、様々な製品に対する新しくて変化のあるものを求める人々の心理に対し、メーカは製品開発に多くの努力を注いできた。表示器において、液晶表示器は軽くて薄いという発展する可能性を秘め、低電力消費という長所を有しているため、メーカが開発していると同時に、多様化された製品も消費大衆の注目を集めている。
【０００３】
例えば特許文献１に開示され、図１に示すように、従来のＴＦＴ液晶表示パネルの画素構造は、複数本で横向きのゲートライン（gate line）１３１および複数本で縦向きのデータライン（data line）１３３を交錯して形成された複数個の画素領域を含む。データライン１３３とゲートライン１３１とが交錯する部分に薄膜トランジスタ１３９を設置する。ここでデータライン１３３を延伸してソース電極１３４を形成し、ゲートライン１３１を延伸してゲート電極１３２を形成し、ドレイン電極１３５はゲート電極１３２と画素電極１３７との間を跨いで接続する。薄膜トランジスタ１３９を利用して画素電極１３７の電位を制御し、液晶層のもう一方に位置する電極（図示せず）に合わせ、液晶粒子の回転を制御して画像を表示する。
【０００４】
従来の液晶表示器には、反射式および透過式の２種類があり、反射式液晶表示器の画素電極１３７は、良好な光学反射性質を有する材料により製作され、外部の光線を反射させて画像を表示するが、外部の光線が弱いときの表示効果は非常に悪かった。透過式液晶表示器は、透明導電材料により画素電極１３７を製作し、バックライトの照射により画像を表示した。その欠点としては、バックライトの発生に大量の電力が消耗され、外部の光線が強いときに、バックライトが生む画像の表示コントラストが低下して、その表示効果が大幅に低下することであった。
さらに、この従来の画素構造は、各薄膜トランジスタ１３９が画素面積の一部を占有するため、有効な表示面積が減少し、表示効果も低下した。
【特許文献１】特開平０５−２０４３３７号公報
【発明の開示】
【発明が解決しようとする課題】
【０００５】
本発明の第１の目的は、液晶表示装置の光学モジュールと制御回路の制御モジュールとの間にバックライトモジュールを増設することにより、外部の光線が不足した時にバックライトを提供して、装置の表示効果を向上させる液晶表示装置を提供することにある。
本発明の第２の目的は、バックライトモジュール上の導電プラグにより、別々に製作された光学モジュールと制御モジュールとを接続し、生産の収率と製品の信頼度を向上させる液晶表示装置を提供することにある。
本発明の第３の目的は、画素電極の制御トランジスタが分離でき、成熟した半導体技術により製作し、画素の有効面積を高める液晶表示装置を提供することにある。
本発明の第４の目的は、画素電極反射領域の下表面を錐状に突出させ、反射領域まで照射するバックライト光を透射領域へ分散させ、光量を強化する液晶表示装置を提供することにある。
本発明の第５の目的は、画素電極反射領域の上表面は、凸面態様を呈し、大幅に視野角を広げる液晶表示装置を提供することにある。
本発明の第６の目的は、レンズセットをさらに設けることにより表示品質を向上し、画像を拡大する液晶表示装置を提供することにある。
本発明の第７の目的は、光学モジュールの全体が曲面構造を呈し、全体の画像表示の品質を向上する液晶表示装置を提供することにある。
本発明の第８の目的は、異なる制御モジュールの間に導電ピンと導電接点とを設置し、複数個の制御モジュールを結合して多様な機能を提供する液晶表示装置を提供することにある。
【課題を解決するための手段】
【０００６】
本発明の液晶表示装置は、少なくとも液晶層と、透過領域および反射領域を有する複数個の画素電極とを含み、図形を表示する光学モジュールと、複数個の制御回路素子を有する制御モジュールと、制御モジュールと光学モジュールとの間に設け、光線が弱い環境下で光源を提供し、表示効果を高めるバックライトモジュールとを主な構造が具備する。また、バックライトモジュールの所定位置に複数個の導電プラグが設けられ、制御モジュールと画素電極とを接続する。
【０００７】
すなわち、前記課題を解決するために、請求項１の発明は、少なくとも液晶層と、透過領域および反射領域を有する複数個の画素電極とを含み、図形を表示する光学モジュールと、複数個の制御回路素子を有する制御モジュールと、前記制御モジュールと前記光学モジュールとの間に設け、光線が弱い環境下で光源を提供し、表示効果を高めるバックライトモジュールとを主な構造とする液晶表示装置であって、前記バックライトモジュールの所定位置に複数個の導電プラグが設けられ、制御モジュールと画素電極とを接続することを特徴とする液晶表示装置である。
【０００８】
請求項２の発明は、前記バックライトモジュールの構造が、バックライトの光源を提供する発光素子と、透明材料により構成され、発光素子が生む光線を伝導し、下表面を処理して拡散表面にし、光線を均等に拡散する導光層と、を有する液晶表示装置であって、導電プラグを前記導光層中の所定位置に設けることを特徴とする請求項１記載の液晶表示装置である。
請求項３の発明は、前記バックライトモジュールは、有機エレクトロルミネッセンス素子であり、前記導電プラグを前記有機エレクトロルミネッセンス素子中の所定位置に設けることを特徴とする請求項１記載の液晶表示装置である。
請求項４の発明は、前記導電プラグは、透明導電材料により製作されることを特徴とする請求項１記載の液晶表示装置である。
請求項５の発明は、前記導電プラグは、インジウムスズ酸化物、導電高分子或いはそれらの組合せの中の何れか一つにより製作されることを特徴とする請求項４記載の液晶表示装置である。
請求項６の発明は、前記導電プラグは、絶縁層およびバックライトモジュールの他の素子により分離されることを特徴とする請求項１記載の液晶表示装置である。
請求項７の発明は、前記導電プラグおよび前記絶縁層は、透明材料により製作されることを特徴とする請求項６記載の液晶表示装置である。
【０００９】
請求項８の発明は、前記光学モジュールの構造は、各画素電極が上表面に形成され、前記画素電極が透過領域および反射領域を含む第１透明基板と、下表面に透明電極が形成され、液晶層を第１透明基板と第２透明基板との間に形成する前記第２透明基板と、を有する液晶表示装置であって、前記第１透明基板は、前記画素電極の位置に少なくとも一つの孔を有し、制御モジュールは前記孔を通して前記画素電極と電性接続することを特徴とする請求項１記載の液晶表示装置である。
請求項９の発明は、前記画素電極の透過領域は、透明導電材料により製作されることを特徴とする請求項８記載の液晶表示装置である。
請求項１０の発明は、前記画素電極の透過領域は、インジウムスズ酸化物により製作されることを特徴とする請求項９記載の液晶表示装置である。
請求項１１の発明は、前記画素電極の反射領域は、金属材料により製作されることを特徴とする請求項８記載の液晶表示装置である。
請求項１２の発明は、前記画素電極の透過領域は、反射領域の周りに設けられることを特徴とする請求項８記載の液晶表示装置である。
請求項１３の発明は、前記画素電極反射領域の下表面は、錐状に突出していることを特徴とする請求項８記載の液晶表示装置である。
請求項１４の発明は、前記画素電極反射領域の上表面は、突面を呈していることを特徴とする請求項８記載の液晶表示装置である。
請求項１５の発明は、画素電極上の透過領域、反射領域およびその組合せ中の一つに光学コーティングを行って、透過領域および反射領域の光路差を調整することを特徴とする請求項８記載の液晶表示装置である。
請求項１６の発明は、前記バックライトモジュールの各導電プラグは、バックライトモジュールの上表面から突出して上ピンを形成し、前記第１透明基板上の対応する前記孔により、対応する前記画素電極へ接続することを特徴とする請求項８記載の液晶表示装置である。
請求項１７の発明は、前記第１透明基板の各孔は導電ピンを有し、前記第１透明基板の下表面から突出し、前記画素電極と対応する導電プラグとを接続することを特徴とする請求項８記載の液晶表示装置である。
請求項１８の発明は、前記液晶層、前記透明電極及び前記画素電極の間にそれぞれ保護層をさらに設けることを特徴とする請求項８記載の液晶表示装置である。
請求項１９の発明は、前記液晶層、前記透明電極及び前記画素電極の間にそれぞれ配向膜をさらに設けることを特徴とする請求項８記載の液晶表示装置である。
請求項２０の発明は、前記第１透明基板および前記第２透明基板は、可撓基板であることを特徴とする請求項８記載の液晶表示装置である。
【００１０】
請求項２１の発明は、前記制御モジュール中の各制御回路素子は、半導体製造工程によりチップ中に整合され、チップの一面においてバックライトモジュールの導電プラグに対応する複数個の導電接点を形成し、各導電プラグを対応する導電接点に接続することを特徴とする請求項１記載の液晶表示装置。
請求項２２の発明は、前記制御モジュールは、上表面に反射層がさらに形成されることを特徴とする請求項２１記載の液晶表示装置である。
請求項２３の発明は、前記バックライトモジュールの各導電プラグは、バックライトモジュールの下表面から突出して下ピンを形成し、制御モジュール上で対応する導電接点に接続することを特徴とする請求項２１記載の液晶表示装置である。
請求項２４の発明は、前記導電ピンは、制御モジュールの上表面から突出し、バックライトモジュール中の対応する導電プラグに接続することを特徴とする請求項２１記載の液晶表示装置である。
請求項２５の発明は、前記光学モジュールの上方は、レンズセットをさらに有することを特徴とする請求項１記載の液晶表示装置である。
請求項２６の発明は、前記光学モジュールの上表面は、曲面構造を呈することを特徴とする請求項２５記載の液晶表示装置である。
請求項２７の発明は、バックライトモジュールと制御モジュールとを接続し、環境の輝度に応じてバックライトをオンまたはオフ、或いはバックライトの強度を調整する光センサーをさらに有することを特徴とする請求項１記載の液晶表示装置である。
請求項２８の発明は、前記光学モジュール、バックライトモジュールおよび制御モジュールは、個別に製作された後に組合わすことを特徴とする請求項１記載の液晶表示装置である。
請求項２９の発明は、半導体製造工程により製作した少なくとも一つの第２制御モジュールは、一面に複数個の導電接点を有し、制御モジュールはバックライトモジュールに接続される相対する一面が複数個の導電ピンを有し、前記第２制御モジュールの導電ピンに対応させて接続することを特徴とする請求項２１記載の液晶表示装置である。。
【００１１】
請求項３０の発明は、少なくとも液晶層と、複数個の透明画素電極とを含み、図形を表示する光学モジュールと、複数個の制御回路素子を有する制御モジュールと、前記制御モジュールと前記光学モジュールとの間に設け、表示に必要な光源を提供するバックライトモジュールと、を主な構造が具備する液晶表示装置であって、前記バックライトモジュールの所定位置に複数個の導電プラグが設けられ、制御モジュールと透明画素電極とを接続することを特徴とする液晶表示装置である。
請求項３１の発明は、前記バックライトモジュールの構造が、バックライトの光源を提供する発光素子と、透明材料により構成され、発光素子が生む光線を伝導し、下表面を拡散表面とし、光線を均等に拡散する導光層と、を有する液晶表示装置であって、導電プラグを前記導光層中の所定位置に設けることを特徴とする請求項３０記載の液晶表示装置である。
請求項３２の発明は、前記バックライトモジュールは、有機エレクトロルミネッセンス素子であり、前記導電プラグを有機エレクトロルミネッセンス素子中の所定位置に設けることを特徴とする請求項３０記載の液晶表示装置である。
請求項３３の発明は、前記導電プラグは、透明導電材料により製作されることを特徴とする請求項３０記載の液晶表示装置である。
請求項３４の発明は、前記導電プラグは、インジウムスズ酸化物、導電高分子或いはそれらの組合せの中の何れか一つにより製作されることを特徴とする請求項３３記載の液晶表示装置である。
請求項３５の発明は、前記導電プラグは、絶縁層およびバックライトモジュールの他の素子により分離されることを特徴とする請求項３０記載の液晶表示装置である。
請求項３６の発明は、前記導電プラグおよび前記絶縁層は、透明材料により製作されることを特徴とする請求項３５記載の液晶表示装置である。
【００１２】
請求項３７の発明は、前記光学モジュールの構造は、上表面に各透明画素電極が形成された第１透明基板と、下表面に透明電極が形成され、液晶層が第１透明基板と第２透明基板との間に形成される第２透明基板と、を有する液晶表示装置であって、前記第１透明基板は、各透明画素電極の位置に少なくとも一つの孔を有し、制御モジュールが前記孔を通して画素電極に電性接続することを特徴とする請求項３０記載の液晶表示装置である。
請求項３８の発明は、前記透明画素電極は、インジウムスズ酸化物により製作されることを特徴とする請求項３７記載の液晶表示装置である。
請求項３９の発明は、前記バックライトモジュールの各導電プラグは、バックライトモジュールの上表面から突出して上ピンを形成し、前記第１透明基板上の対応する前記孔を通して、対応する前記透明画素電極に接続することを特徴とする請求項３７記載の液晶表示装置である。
請求項４０の発明は、前記第１透明基板の各孔に透明導電ピンをさらに設け、前記第１透明基板の下表面から突出させて、前記画素電極と対応する導電プラグとを接続することを特徴とする請求項３７記載の液晶表示装置である。
請求項４１の発明は、前記透明導電プラグは、インジウムスズ酸化物、導電高分子或いはそれらの組合せの中の何れか一つにより製作することを特徴とする請求項４０記載の液晶表示装置である。
請求項４２の発明は、前記液晶層、前記透明電極及び前記画素電極の間にそれぞれ保護層をさらに設けることを特徴とする請求項３７記載の液晶表示装置である。
請求項４３の発明は、前記液晶層、前記透明電極及び前記画素電極の間にそれぞれ配向膜をさらに設けることを特徴とする請求項３７記載の液晶表示装置である。
請求項４４の発明は、前記第１透明基板および前記第２透明基板は、可撓基板であることを特徴とする請求項３７記載の液晶表示装置である。
【００１３】
請求項４５の発明は、前記制御モジュール中の各制御回路素子は、半導体製造工程によりチップ中に整合され、チップの一面においてバックライトモジュールの導電プラグに対応する複数個の導電接点を形成し、各導電プラグと対応する導電接点に接続することを特徴とする請求項３０記載の液晶表示装置である。
請求項４６の発明は、前記制御モジュールは、上表面に反射層がさらに形成されることを特徴とする請求項４５記載の液晶表示装置である。
請求項４７の発明は、前記バックライトモジュールの各導電プラグは、バックライトモジュールの下表面から突出して下ピンを形成し、制御モジュール上で対応する導電接点と接続することを特徴とする請求項４５記載の液晶表示装置である。
請求項４８の発明は、前記導電ピンは、制御モジュールの上表面から突出し、バックライトモジュール中の対応する導電プラグに接続することを特徴とする請求項４５記載の液晶表示装置である。
請求項４９の発明は、前記光学モジュールの上方は、レンズセットをさらに有することを特徴とする請求項３０記載の液晶表示装置である。
請求項５０の発明は、前記光学モジュールの上表面は、曲面構造を呈することを特徴とする請求項４８記載の液晶表示装置である。
請求項５１の発明は、前記光学モジュール、バックライトモジュールおよび制御モジュールは、個別に製作された後に組合わすことを特徴とする請求項５０記載の液晶表示装置である。
請求項５２の発明は、半導体製造工程により製作した少なくとも一つの第２制御モジュールは、一面に複数個の導電接点を有し、制御モジュールはバックライトモジュールに接続される相対する一面が複数個の導電ピンを有し、前記第２制御モジュールの導電ピンに対応させて接続することを特徴とする請求項４５記載の液晶表示装置である。
【００１４】
請求項５３の発明は、上表面に複数個の画素電極が形成された基板と、下表面に透明電極が形成された透明基板と、基板と透明基板との間に挟まれた液晶層と、複数個の制御回路素子を有する制御モジュールとを主要構造とする液晶表示装置であって、前記基板は、前記画素電極の位置に少なくとも一つの孔を有し、制御モジュールは孔を通して画素電極に電性接続されることを特徴とする液晶表示装置である。
請求項５４の発明は、前記液晶層、前記透明電極及び前記画素電極の間にそれぞれ保護層をさらに設けることを特徴とする請求項５３記載の液晶表示装置である。
請求項５５の発明は、前記液晶層、前記透明電極及び前記画素電極の間にそれぞれ配向膜をさらに設けることを特徴とする請求項５３記載の液晶表示装置である。
請求項５６の発明は、前記第１透明基板および前記第２透明基板は、可撓基板であることを特徴とする請求項５３記載の液晶表示装置である。
請求項５７の発明は、前記制御モジュールは、上表面に反射層が形成されることを特徴とする請求項５３記載の液晶表示装置である。
請求項５８の発明は、前記制御モジュールは、上表面に遮光層が形成されることを特徴とする請求項５３記載の液晶表示装置である。
請求項５９の発明は、前記制御モジュール中の各制御回路素子は、半導体製造工程によりチップ中に整合され、当該チップの一面において基板上の各孔に対応する複数個の導電接点が形成され、各導電接点を対応する画素電極に接続することを特徴とする請求項５３記載の液晶表示装置である。
【００１５】
請求項６０の発明は、前記導電ピンは、制御モジュールの上表面から突出し、基板上の対応する孔に通して対応する画素電極に接続することを特徴とする請求項５９記載の液晶表示装置である。
請求項６１の発明は、前記基板の各孔は導電プラグを有し、基板の下表面から突出され、制御モジュール上の対応する導電接点に接続することを特徴とする請求項５９記載の液晶表示装置である。
請求項６２の発明は、前記導電プラグの側面縁は、絶縁層を有することを特徴とする請求項６１記載の液晶表示装置である。
請求項６３の発明は、前記導電プラグは、金属材料により製作されることを特徴とする請求項６１記載の液晶表示装置である。
請求項６４の発明は、前記画素電極は、金属材料により製作されることを特徴とする請求項５３記載の液晶表示装置である。
請求項６５の発明は、前記画素電極の上表面は、突面を呈していることを特徴とする請求項６４記載の液晶表示装置である。
請求項６６の発明は、前記透明基板の上方は、レンズセットをさらに有することを特徴とする請求項５３記載の液晶表示装置である。
請求項６７の発明は、前記光学モジュールの上表面は、曲面構造を呈することを特徴とする請求項６６記載の液晶表示装置である。
請求項６８の発明は、前記制御モジュールは、他の素子と別に製作された後に組合わすことを特徴とする請求項５３記載の液晶表示装置である。
請求項６９の発明は、半導体製造工程により製作した少なくとも一つの第２制御モジュールは、一面に複数個の導電接点を有し、制御モジュールはバックライトモジュールに接続される相対する一面が複数個の導電ピンを有し、前記第２制御モジュールの導電ピンに対応させて接続することを特徴とする請求項５９記載の液晶表示装置である。
【発明の効果】
【００１６】
本発明は、上述したような液晶表示装置であるから、液晶表示装置の光学モジュールと制御回路の制御モジュールとの間にバックライトモジュールを増設することにより、外部の光線が不足した時にバックライトを提供して、装置の表示効果を向上させることができ、バックライトモジュール上の導電プラグにより、別々に製作された光学モジュールと制御モジュールとを接続し、生産の収率と製品の信頼度を向上させることができ、画素電極の制御トランジスタが分離でき、成熟した半導体技術により製作し、画素の有効面積を高めることができ、画素電極反射領域の下表面を錐状に突出させ、反射領域まで照射するバックライト光を透射領域へ分散させ、光量を強化するすることができ、画素電極反射領域の上表面は、凸面態様を呈し、大幅に視野角を広げることができ、レンズセットをさらに設けることにより表示品質を向上し、画像を拡大することができ、光学モジュールの全体が曲面構造を呈し、全体の画像表示の品質を向上することができ、異なる制御モジュールの間に導電ピンと導電接点とを設置し、複数個の制御モジュールを結合して多様な機能を提供でき、製品の収率を向上して生産コストを下げるという効果が得られる。
【発明を実施するための最良の形態】
【００１７】
本発明の特徴、構造、方法及びそれにより達成される効果がさらに理解および認識出来るよう、図面と合わせて詳細な説明を次に行う。
【００１８】
図２から図５は、本発明の好適な一実施例の部分断面図、画素電極層の断面図およびモジュール間の異なる結合形態を示す部分断面図である。本実施例は、透過式および反射式の効果を有する液晶表示装置である。図示するように、光学モジュール２５は主に第１透明基板２４３上に複数個の画素電極２５６が形成され、各画素電極２５６は反射領域２４５および透過領域２４７を含む。図３に示すように、反射領域２４５は、金属材料または他の良好な反射能力を具えた導電材料により製作され、透過領域２４７はインジウムスズ酸化物（ＩＴＯ）などの透明導電材料により製作され、各反射領域２４５を画素電極２５６の中央に位置させ、透過領域２４７を反射領域２４５の周りに設置する。その他、透過領域２４７および反射領域２４５の配置は、他の形式により行ってもよく、例えば、透過領域２４７を中央に位置させて、反射領域２４５をその周りに設置するか、或いは透過領域２４７および反射領域２４５をそれぞれ画素電極２５６の一側に設置してもよい。
【００１９】
各画素電極２５６を保護するために、画素電極２５６上には保護層２４９をさらに形成してもよい。第１透明基板２４３の下表面において、各画素電極２５６に対応する位置に、エッチング方式により少なくとも一つの孔２４４を形成し（図４に示す）、保護層２４９上に第１配向膜２６３を形成する。
【００２０】
第２透明基板２６７の下表面に透明電極２６６を形成してから、透明電極２６６の下表面に第２配向膜２６５を形成する。第１透明基板２４３上の第１配向膜２６３と第２透明基板２６７下の第２配向膜２６５との間で液晶層２６１を挟む。また、第１透明基板２４３の下表面および第２透明基板の上表面に、第１偏光層２４１および第２偏光層２６９をさらに設置し、光線の偏極性質を調整して液晶の特性に合わせ、画像を表示する効果を得る。
【００２１】
バックライトモジュール２２には様々な実施形態がある。図２に示すように、少なくとも一つの発光素子２２１によりバックライトの光源を発生させ、導光層２２３は光線を装置の各部へ伝導する。ここで導光層２２３の下表面を光学又は、デコレーションコーティング（SDC）又は、その他の表面処理を行い、拡散表面２２５を形成することにより、光線を装置の各部へ均等に拡散する。導光層２２３は、光学モジュール２５の各孔２４４に対応する位置に、導電材料で製作された導電プラグ２８を設置する。光線の伝導効果を高めるために、透明導電酸化物（Transparent Conducting Oxide：ＴＣＯ、例えばＩＴＯ）などの透明な導電材料、導電高分子およびその組合せの中の一つにより各導電プラグ２８を製作する。また、バックライトモジュール２２は、直接に光学モジュール２５と制御モジュール１０との間に一層の有機エレクトロルミネッセンス素子（organic electroluminescent device：ＯＥＬＤ）を製作し、有機エレクトロルミネッセンス素子は直接上向きに発光してバックライトの光源を提供する。ここで、各孔２４４に対応する位置に導電プラグ２８を設置し、制御モジュール１０と画素電極２５６とを接続する媒体にする。上述の実施例において、各導電プラグ２８の側辺縁にそれぞれ絶縁層２８５を設け、回路の機能を確保する以外に、導電プラグ２８およびその周辺素子を保護する効果を提供することができる。また、各基板を可撓性（flexible）材料により製作し、可撓性パネルの製作に有利にする。
【００２２】
本発明の制御モジュール１０は、従来の半導体製造工程技術により製作することができ、各制御回路および素子を少なくとも一つのチップ中に整合する。先ず、半導体基板１１上に、半導体集積回路の製造工程により、トランジスタおよびキャパシタなどの制御回路の素子を製作する。ここでトランジスタはドレイン１１３およびソース１１５を含み、ゲート酸化膜１１９上にゲート電極１１７を設け、各回路素子の間に分離層１１１を設けて分離する。容量素子は、分離層１１１上へ底電極１２１、誘電層１２３及び上側電極１２５の順に形成される。回路素子が完成してから、各素子の基板上に、二酸化シリコンにより絶縁層１２を形成して保護すると同時に、絶縁および分離の作用を持たせる。
【００２３】
絶縁層１２を形成した後、ドレイン１１３、ソース１１５および上側電極１２５などの位置にエッチングにより開口を形成してから、各開口中にチタン、窒化チタン、タングステンおよびアルミニウムなどの導電物質を注入し、ドレイン１１３、ソース１１５および上側電極１２５を接続して導電チャネル（via）１６１、導電チャネル１６３および導電チャネル１６５を形成する。絶縁層１２の表面上に、金属により導電チャネルを形成し、金属線１４１は導電チャネル１６１によりドレイン１１３に接続し、金属線１４３は導電チャネル１６３および導電チャネル１６５を介して、ソース１１５および上側電極１２５へ接続する。
【００２４】
絶縁層１２表面に設計された導電チャネルの所定位置は導電ピン２０３を有し、各金属線を覆う絶縁層１４を形成する。絶縁層１４に反射層２０１を設置し、その表面を二酸化シリコンの絶縁層１４７で覆う。ここで、反射層２０１は、制御回路の干渉を防ぐことができる以外に、さらに導光層２２３中の拡散表面２２５の反射効果を強化することもできる。
【００２５】
各モジュールが完成した後、それらを組合せるが、その組合せ形態を図４および図５に示す。バックライトモジュール２２に設けられた導電プラグ２８は、バックライトモジュール２２の上下表面から上向き及び下向きに突出し、上ピン２８１および下ピン２８３を形成する。上ピン２８１は、組合せる時に第１透明基板２４３の孔２４４に挿入して画素電極２５６に接続する。下ピン２８３は制御モジュール１０の導電ピン２０３と接続するか、或いは直接に制御モジュール１０中に設計された導電チャネルの所定位置に接続することにより、画素電極２５６と制御モジュール１０中の制御回路とを通電させる（図４に示す）。
【００２６】
また、本発明は第１透明基板２４３の孔２４４中に、導電材料により導電ピン２８７を製作し、導電ピン２８７と第１透明基板２４３との間を絶縁層２８９により分離する。制御モジュール１０の導電ピン２０５は、制御モジュール１０の上表面から突出する形態で、導電ピン２８７と導電ピン２０５とを接続するバックライトモジュール２２の導電プラグ２８により、制御回路と画素電極２５６とを通電する。また、導電ピン２８７と導電ピン２０５とを延長し、直接に導電プラグ２８を代替し、制御回路と画素電極２５６とを通電させる効果を達成してもよい。
【００２７】
図６および図７は、本発明の画素電極の異なる実施形態を示す部分断面図である。それらの図が示すように、本発明の画素電極反射領域２４５の設計を僅かに変化させて、装置の表示機能を高める。ここで、反射領域２４５の下表面２４６を錐状に突出した形態に製作し、バックライトモジュールからの光線が反射領域下表面２４６へ照射されると、他の領域へ反射させて、最後に透過領域２４７を透過することにより（図６に示す）、エネルギーの損失を減少し、バックライトの輝度を高めることができる。
【００２８】
反射領域２４５の上表面２４８は凸面形態に製作することができ、外部の光線が強いとき、凸面の反射は拡散作用を有し、画像表示するときに透過領域２４７の輝度が不足する欠点を補償し、従来の液晶表示器が有していた画素と画素との間にある視覚間隔の問題を解消することができる。同時に、画素電極２５６の一部を凸面に設計し、配列時に僅かな角度偏移を一部の液晶分子へ発生させ、表示装置の可視範囲を拡大する。
【００２９】
画素電極２５６の透過領域２４７および反射領域２４５の表面は、異なる光学度膜技術により透射表示および反射表示に必要な光路差を調整するか、或いは保護層を製作するときに透過領域２４７および反射領域２４５の厚さの違いにより調整する効果を得る。
【００３０】
一方、上述の実施例はさらに光センサ３２を有し、バックライトモジュール２２および制御モジュール１０をそれぞれ接続し、外部の輝度を探知することにより、バックライトをオンまたはオフしたり、バックライトの強度を調整したりして、最適な表示品質を維持し、エネルギーの消耗を節約することができる。
【００３１】
図８は、本発明のもう一つの実施例の一部拡大図である。図示するように、その主要構造と図２が示す実施例は略同じである。本実施例においては、本発明を透過式液晶表示装置へ応用するが、制御モジュール１０とバックライトモジュール２２との構造には違いが無く、光学モジュール２５中の画素電極２５６を透明導電材料（例えばＩＴＯ）により製作する。
【００３２】
図９、図１０および図１１は、本実施例の一部断面図およびそのモジュール間の異なる結合形態を示す一部断面図である。本実施例では、本発明の技術を反射式液晶表示装置に応用する。図示するように、その主要構造は光学モジュール２５および制御モジュール１０を含む。ここで光学モジュール２５および制御モジュール１０の構造は、図２が示す実施例の光学モジュールおよび制御モジュールと略同じである。
【００３３】
本実施例において、光学モジュール２５の画素電極２５６および制御モジュール１０の遮光層２０７を、組合せて異なる形態に変換してもよい。画素電極２５６を良好な反射能力を有する導電材質（例えば金属材料）で製作するとき、基板２４２を不透明な材料から選び、拡散光を遮断するか吸収することにより、拡散光が回路素子に当たり回路が干渉されることを防ぐ。画素電極２５６を透明導電材料（例えばＩＴＯ）により製作するとき、基板２４２を透明な材料から選び、遮光層２０７を良好な反射能力を有する材質で製作して、光線反射の効果を得る。
【００３４】
図１０および図１１は、制御モジュール１０と光学モジュール２５との組合形態を示す。制御モジュール１０の上表面から突出した各導電ピン２０５を、基板２４２上の対応する孔２４４へ挿入して、画素電極２５６に接続する（図１０に示す）。一方、各孔２４４中に導電材料により製作された導電プラグ２８をさらに設け、導電プラグ２８の側辺縁はさらに絶縁層２８９を有する。また、導電プラグ２８の一端は基板２４２の下表面から突出して、導電ピン２８７を形成する。導電ピン２８７を制御モジュール１０の導電ピン２０３に接続して、画素電極２５６および制御回路を通電させる機能を得る。
【００３５】
図１２は、本発明のもう一つの実施例を示す断面図である。図示するように、本実施例の液晶表示装置は、光学モジュール２５上にレンズセット３０を増設する。制御モジュール１０の駆動および制御により光学モジュール２５は画像を表示し、レンズセット３０により表示画像の品質を向上または拡大し、装置の表示機能をさらに向上させる。また、本実施例は光学モジュール２５の上表面２５１を曲面構造にし、レンズセット３０を組合せることにより更に完璧な画像を表示する。
【００３６】
図１３は、本発明のもう一つの実施例を示す断面図である。図示するように、本発明は半導体製造工程により製作される少なくとも一つの第２制御モジュール１０１をさらに含む。制御モジュール１０および第２制御モジュール１０１は、同様の原理により、その下表面に複数個の導電ピン１０３を形成し、第２制御モジュール１０１の一面には、各導電ピン１０３に対応した位置に導電ピン１０５が設けられ、導電ピン１０３と導電ピン１０５とを接続して異なる機能の制御モジュールを結合し、液晶表示装置へより強力で多様化した機能を提供する。
【００３７】
現在の半導体製造工程技術および液晶パネルの製作技術は非常に成熟しており、本発明が提供する技術により、光学モジュール、バックライトモジュールおよび制御モジュールをそれぞれ製作してから結合し、新しい構造設計および既存技術を十分に利用すると、収率が向上して製品の機能が高まるだけでなく、製造工程が簡略化されてコストを下げることもできるため、業者および多くの消費者にとって有利である。
【００３８】
本実施例が開示したものは、単なる好適な実施例であり、これは本発明が実施する範囲を制限するものではなく、本発明の特許請求範囲および明細書の内容にした簡単な同じ効果の変更および修飾は、本発明の特許権の範疇を脱しないものとする。
【図面の簡単な説明】
【００３９】
【図１】従来技術のＴＦＴ液晶表示パネルの画素構造を示す平面図である。
【図２】本発明の好適な一実施例の部分断面図である。
【図３】図２の画素電極層を示す断面図である。
【図４】本実施例のモジュール間の異なる結合形態を示す部分断面図である。
【図５】本実施例のモジュール間の異なる結合形態を示す部分断面図である。
【図６】本実施例の画素電極の異なる実施形態を示す部分断面図である。
【図７】本実施例の画素電極の異なる実施形態を示す部分断面図である。
【図８】本発明のもう一つの好適な一実施例を示す部分断面図である。
【図９】本発明のもう一つの好適な一実施例を示す部分断面図である。
【図１０】図９のモジュールと異なる結合形態を示す部分拡大断面図である。
【図１１】図９のモジュールと異なる結合形態を示す部分拡大断面図である。
【図１２】本発明のもう一つの好適な一実施例を示す断面図である。
【図１３】本発明のもう一つの好適な一実施例を示す断面図である。
【符号の説明】
【００４０】
１０…制御モジュール、１０１…第２制御モジュール、１０３…導電ピン、１０５…導電ピン、１１…半導体基板、１１１…分離層、１１３…ドレイン、１１５…ソース、１１７…ゲート電極、１１９…ゲート酸化膜、１２…絶縁層、１２１…底電極、１２３…誘電層、１２５…上側電極、１３１…ゲートライン、１３２…ゲート電極、１３３…データライン、１３４…ソース電極、１３５…ドレイン電極、１３７…画素電極、１３９…薄膜トランジスタ、１４…絶縁層、１４１…金属線、１４３…金属線、１４７…絶縁層、１４９…画素電極、１６１…導電チャネル、１６３…導電チャネル、１６５…導電チャネル、２０１…反射層、２０３…導電ピン、２０５…導電ピン、２０７…遮光層、２２…バックライトモジュール、２２１…発光素子、２２３…導光層、２２５…拡散表面、２４１…第１偏光層、２４２…基板、２４３…第１透明基板、２４４…孔、２４５…画素電極反射領域、２４６…反射領域下表面、２４７…画素電極透過領域、２４８…反射領域上表面、２４９…保護層、２５…光学モジュール、２５１…光学モジュール上表面、２５６…画素電極、２６１…液晶層、２６３…第１配向膜、２６５…第２配向膜、２６６…透明電極、２６７…第２透明基板、２６９…第２偏光層、２８…導電プラグ、２８１…上ピン、２８３…下ピン、２８５…絶縁層、２８７…導電ピン、２８９…絶縁層、３０…レンズセット、３２…光センサ
【図１】
2005196099.tif 000003
【図２】
2005196099.tif 000004
【図３】
2005196099.tif 000005
【図４】
2005196099.tif 000006
【図５】
2005196099.tif 000007
【図６】
2005196099.tif 000008
【図７】
2005196099.tif 000009
【図８】
2005196099.tif 000010
【図９】
2005196099.tif 000011
【図１０】
2005196099.tif 000012
【図１１】
2005196099.tif 000013
【図１２】
2005196099.tif 000014
【図１３】
2005196099.tif 000015